(57)【要約】      （修正有）【課題】耳内の接触支点を気にすることなくその耳垢を除去し、耳掻きの回転による作用性を向上させた耳掻きを提供する。【解決手段】棒状の軸部４と該軸部の一端５に凹凸形状の軟質部材３を結合してなる耳掻き１において、軟質部材を軸方向に長い楕円体９とし、楕円体に網目部材２を絞り状態で被覆し固着する。その網目部材側面は自由に形を変え、更にその絞り形状とする網目部材はその軸部を回転させる動きに伴い、耳垢を確実に蓄積させ耳内にある耳垢を連続して外に掻き出す。【選択図】図１
0003196108.tif 000002
【実用新案登録請求の範囲】
【請求項１】
棒状の軸部（４）と該軸部の一端（５）に凹凸形状の軟質部材（３）を
結合してなる耳掻き（１）において前記軟質部材（３）を軸方向に長い楕
円体（９）とし、該楕円体（９）に網目部材（２）を絞り状態（７）で被
覆し固着（４３）したことを特徴とする耳掻き。
【請求項２】
前記絞り状態を平面視軸に対し右回転の絞りとしたことを特徴とする
請求項１記載の耳掻き。
【請求項３】
前記網目部材を１０から３０メッシュネットとしたことを特徴とする
請求項１記載の耳掻き。
【請求項４】
前記網目部材を編み込む形成としたことを特徴とする請求項１乃至３
のいずれか一項に記載の耳掻き。
【請求項５】
前記網目部材を絞り状態とする形状を前記網目部材を該部材の全側面
に対し部分的に前記網目部材を前記編み込む網で肉厚を厚くし固着させ
形成したことを特徴とする請求項１記載の耳掻き。
【請求項６】
前記網目部材を編み込む網で該網目部材側面を前記平面視軸方向から
見てスクリュ―形状を形成したことを特徴する請求項４記載の耳掻き。
【請求項７】
前記網目部材を編み込む網を複数の網で編み込むことを特徴する請求
項１乃至６のいずれか一項に記載の耳掻き。
【請求項８】
前記軟質部材の側面を前記平面視軸方向に対しスクリュー形状とした
ことを特徴する請求項１乃至７のいずれか一項に記載の耳掻き。
【請求項９】
前記絞り状態を前記平面視軸に対し左回転の絞りとしたことを特徴と
する請求項１乃至８のいずれか一項に記載の耳掻き。
【請求項１０】
前記軸部の一端とする網目部材且他端をスプーン形状としたことを特
徴とする請求項１記載の耳掻き。     
【請求項１１】
前記スプーン形状を弾性体を形成したことを特徴とする請求項１０記
載の耳掻き。
【請求項１２】
前記スプーン形状を耳垢が付着する粘着材を設けたことを特徴とする
請求項１０乃至１２のいずれか一項に記載の耳掻き。
【請求項１３】
前記軟質部材を柔軟材としたことを特徴とする請求項１乃至９のい
ずれか一項に記載の耳掻き。
【請求項１４】
前記軟質部材を弾性体としたことを特徴とする請求項１乃至９のいず
れか一項に記載の耳掻き。
【請求項１５】
前記網目部材を耳垢が付着する粘着材を設けたことを特徴とする請求
項１乃至１４のいずれか一項に記載の耳掻き。
【請求項１６】
前記網目部材を繊維製としたことを特徴とする請求項１乃至１５のい
ずれか一項に記載の耳掻き。
【請求項１７】
前記網目部材を樹脂製としたことを特徴とする請求項１乃至１６のい
ずれか一項に記載の耳掻き。
【請求項１８】
前記網目部材を金属製としたことを特徴とする請求項１乃至１７のい
ずれか一項に記載の耳掻き。
【請求項１９】
前記耳掻きを金属製としたことを特徴とする請求項１乃至１８のいず
れか一項に記載の耳掻き。
【請求項２０】
前記耳掻きを樹脂製としたことを特徴とする請求項１乃至１９のいず
れか一項に記載の耳掻き。
【請求項２１】
前記耳掻きを繊維製としたことを特徴とする請求項１乃至２０のいず
れか一項に記載の耳掻き。
【請求項２２】
前記耳掻きを木製としたことを特徴とする請求項１乃至２１のいずれ
か一項に記載の耳掻き。
【請求項２３】
前記耳掻きを竹製としたことを特徴とする請求項１乃至２２のいずれ
か一項に記載の耳掻き。
【請求項２４】
前記一端と他端を同一形成としたことを特徴とする請求項１乃至２３
いずれか一項に記載の耳掻き。
【請求項２５】
前記軟質部材と網目部材を同一部材としたことを特徴とする請求項１
乃至２４いずれか一項に記載の耳掻き。
【請求項２６】
前記他端を繊維製の綿を設けたことを特徴とする請求項１乃至２５の
いずれか一項に記載の耳掻き。
【請求項２７】
前記軟質部材を綿としたことを特徴とする請求項１乃至２６のいずれ
か一項に記載の耳掻き。
【請求項２８】
前記粘着材を覆う該粘着材側面から離間して着脱可能なキャップを設
けたことを特徴とする請求項１２または１５記載の耳掻き。
【請求項２９】
前記網目部材を水の該水と異なる精製水を含浸させたことを特徴とす
る１乃至２８のいずれか一項に記載の耳掻き。
【請求項３０】
前記柔軟材を前記精製水を含浸させたことを特徴とする１乃至２９の
いずれか一項に記載の耳掻き。
【請求項３１】
前記網目部材を３０メッシュ以上のメッシュネットとしたことを特徴
とする請求項１乃至３０いずれか一項に記載の耳掻き。
【請求項３２】
前記網目部材を１０メッシュ以下のメッシュネットとしたことを特徴
とする請求項１乃至３１のいずれか一項に記載の耳掻き。
【請求項３３】
前記軟質部材を絞り状態で被覆し固着する網目部材と前記棒状の一端
のそれぞれを接着し取り付け形成したことを特徴とする請求項１乃至３
２のいずれか一項に記載の耳掻き。
【考案の詳細な説明】
【技術分野】
【０００１】
本考案は棒状の軸部と該軸部の一端に凹凸形状の軟質部材を結合してな
る耳掻きにおいてまずその軸部の一端とするその軟質部材を軸方向に長い
楕円体とすることにより該楕円体に係るその耳掻きの先端部左右幅は狭い
形状とする為小さい耳穴に入りやすくすると共にその楕円体とする軟質部
材に網目部材を絞り状態で被覆し固着することによりその網目部材内部の
軟らかい作用性を介するその網目部材はその耳掻きを使用する耳の内側面
形状にほぼ同一に合わせ形を変えながら耳垢を掻き出すものとなりまたそ
の内部に軟質部材を有する網目部材側面の作用性としてその丸みを帯びた
その楕円体側面の曲部はその耳穴の形にほぼ同一に変形させながらその耳
垢を掻き出す、またはその耳掻きを回転させることによりその網目部材側
面はほぼ球面の側面に近い網目形状とする為仮にその耳掻きを使用する手
から伝わる圧力１０をほぼ変えることなくその網目部材全側面に伝える為
その該側面の作用性は耳の内側面に対し接触重要支点となりやすくその高
圧力で耳垢を一気に掻き出すものとしまたその網目部材を絞り状態でその
軸部の一端とする軟質部材に被覆し固着して設けることによりその網目部
材の側面に該網目部材の網目より厚みのある大波の絞る方向に曲がる曲線
の凹凸を形成することによりその網目部材側面上はその網目部材を編み込
む小波の凹凸とその網を絞り状態とする大波の凹凸のそれぞれの形成を同
時に固着形成させ該固着による部材の変形なる壊れを防ぐと共にその軟質
部材を介する網目部材のとれやすい破損を防ぐものとするその網目部材を
絞る大波の凸部はその網目部材の内部とするその軟質部材を介する前記網
目部材側面へ圧力による変形変化に対するその大波の凸部且凹部の境目の
段差を、たとえばその網目部材側面に１０の圧力がそのまま１０係ること
としてもその大波を消すことなくはっきりとその網目部材を絞る複数の曲
線段差が残る為その該曲線はその耳掻きを回転させる動作に伴うその網目
部材が絞り形状となることによるその回転動作イコールそれぞれの圧量に
よる部材変化に対応なせる網目側面とするその動作とほぼ同一な回転絞り
形状とするその動作作用点と形状作用点はほぼ同一となりその曲線上の大
波の頂部にほぼ平均的に強の力で圧力の係る形成としまたその曲線はその
平面視耳掻きの先端部とその網目部材の下端部のそれぞれの端部を連通す
る為切れ目を有すことなくその曲線段差によりその耳掻きを回転させるこ
とによりその耳掻きに係る軸部の回転圧力をほぼ変えることなくその網目
部材の側面にその回転圧力量をほぼ全て伝える為力強い摩擦力でその耳内
側面にこびり付く頑固な耳垢を回転曲度スコップのようなイメージで連続
して掻きとる確実作用性の高まる効果度を安定保持させその大波の作用性
と共に小波とする前記網目部材の平面視は該部材を編み込む形成とする仮
に上下からなる網と左右からなる網がクロスするその上下なる網のそれぞ
れの凸部体がその網目部材の側面から立体とする飛び出し部分が並ぶこと
によりそれぞれの凸部上下網体の小波によりその耳掻きをその一端方向か
ら差し込みその耳掻きを回転させることによりその耳内側全体面を常に接
触し続けその回転摩擦力を分散させることなくその耳穴内側面に頑固にこ
びり付く耳垢をその複数の上下凸部体によりその軸方向からの曲線の大波
とその小波でその回転と同時にその耳垢を掻きとる作用を繰り返しその耳
の中にある耳垢をその回転スコップのそれぞれの掻き出し凸部により見え
ない耳穴にある耳垢を探るという苦難をなくし除去し続ける形成部としま
たその平面視網目形状の左右に形成するそれぞれの複数の網体の小波やそ
の網目部材を絞り状態とするその軸方向に対し曲線の大波の凹凸部により
その耳の奥に溜まる耳垢を外に運ぶそれぞれの高さの凸部体とする該凸部
体によりその耳の内側全体面と密着を保持しながらその耳垢を連続して掻
きだす形成とする該連続によりその耳垢を確実に拾い集め取りこぼしを防
止するものとするその耳の内側面に圧力を掛けやすいその耳内に易しく接
触するものとなり安全性が備わる設計を兼ねる形成とし尚その網目部材の
上下と左右のそれぞれの網以外の部面とするその網目形状の目が複数配設
されるそれぞれの目によりその上下や左右で掻き出す耳垢を一時掻き貯め
るそれぞれの孔としその孔が複数備わることによりその耳垢をその左右網
体と共に多数分散する耳垢をそれぞれの網支点にまとめ該支点に一時蓄積
させながらその耳垢を掻き出す形成とする。
【背景技術】
【０００２】
耳掻きは従来技術でより研究で追及される多くの部材がある中でその耳
の内側面にその耳掻きの一端との接触を安定させやすい形状で且安全性を
兼ねるその内側面全体に均一に強圧力で接触させる形状は少なくその耳掻
きの一端とするスプーン形状の逆とする他端をスクリュー形状にすること
やまた軟質部材を凹凸に形成するそれぞれ示す形状はその耳の奥から外に
耳垢を掻き出すことに関しては非常によいものとするがその耳の内側面に
接触する特に重要支点部分はそのスクリュー形状や凹凸形状の凸等の頂部
とする為や尚その軟質部材の凹凸側面ではその耳穴内側面に圧力をかけに
くく接触しにくい形成でありその内側面にこびり付く耳垢をその耳内側面
と接触支点を多少気にしながらその頂部とするそれぞれの突出部にその耳
の見えない内側面を探るものとしまたその耳掻きの一部とするスプーン形
状の例としてその平面視スプ―ン形状に係るその凹部方向側とする一方面
に対して力が係りやすいという形状が非常に多いことからなるその耳の内
側面全体に均一に力が係やすい部材が少なく数回に分けその耳掻きの向き
を変えながらその耳垢を掻き出すという形成やまた使い捨ての耳掻きで綿
棒やその綿をふさふさに設けるそれぞれの綿形成はその綿の伸縮に係る圧
力の分散率が非常に高い為その耳の内側面に力が係りにくくその内側面に
こびり付く耳垢を取りづらく多少すっきり感が得られないということやま
たその耳掻きに係る棒状の端部に網上の袋を設け該袋の中に空間を形成す
る部材がありその空間に入り込む耳垢を吸引装置を利用して行う形成とす
るそれぞれの関連性は非常に良いものとする機械系の方面での一作用面で
優れることとするその吸引式耳掻きは耳の穴を吸引することにより該穴と
繋がる鼻等を傷めやすいという消費者の意見もありまたその耳掻きを機械
係としない手軽に使用するその網目部材の係る耳掻き形成を仮に一般的な
機械係としない形成に関して例えるとその網目部材の内部空間に耳垢が常
に蓄積するようになりその蓄積する耳垢が取れにくいことやその蓄積する
ことによる細菌の繁殖等が起こりやすい形状であることによる不便さが生
じ、更にその耳掻き形成は機械とする為生産コストが高まり尚その網上の
袋には該網の平面視はそれぞれの凹凸の小波がありその小さい波のみでは
確実にその耳垢を掬いあげることやその耳垢を掻き滑らせるそれぞれの作
用確実性の低下となりまたその網上の内部を空間とする為や尚その空間に
網目部材の補強材を有すいずれかの形成とする為その耳掻きを使用する耳
の内側面の形に合わせてその網目部材の変形と該変形に伴うその網形状と
する卵系の形に戻しにくいというその変形の側面変化に圧力なる不規則な
形状となりやすい誤りが生じやすいということやその網目部材の内部とす
る補強材に対しその網目部材はその補強により変形しにくいことや一番の
重要点とするその耳掻きを回転させることに対する作用性の技術方面では
少し弱いというそれぞれの問題点があった。
【先行技術文献】
【特許文献】
【０００３】
【特許文献１】特開２０１２−１４８１０２号公報
【特許文献２】特開２０１２−０３００２８号公報
【考案の概要】
【考案が解決しようとする課題】
【０００４】
耳掻きはその耳の内側面全体に一度で均一に接触させやすい形状は少な
くその耳掻きの棒状の一端をスプーン形状と共にその該一端の逆とする他
端をスクリュー形状や軟質部材の凹凸形状等で形成する部材はその耳奥の
耳垢を外に掻き出すことに関して非常に良いものとするがその耳内側面に
一度で接触しやすい部面はそのスクリューの頂部とする為その内側面全体
に均一に圧力を掛けづらい面があることやまた数回に分けその耳掻きをあ
てる向きを変えながらその耳垢を掻き出すというその耳内側面と接触支点
を多少気にしながら見えない耳内を探るという苦難があることやまたその
スクリューの波状の凹部には耳垢を蓄積させる形成とするがその凹部の逆
の複数の凸とする頂部は網目のような目を有す段差部面を有さない為それ
ぞれの凸部面は耳垢が微量に蓄積させにくい傾向がありその耳穴全内側面
に一度でほぼ均一にその耳垢を掻き出す形状部や一時耳垢を貯蓄させる形
状部とするそれぞれの形状部が約半数に区分けされるその耳垢をその区分
けによる凹凸の凸部がその軸方向に平行して形成されることによりその耳
垢を蓄積する網目の目のような部材面が該部材の面積の全側面に対してほ
ぼ全面に等間隔に配設される形状としない為その耳垢を残しやすいという
確率値の減少面となることやまた内部を空間とする網上の袋をその耳掻き
に係る棒状の軸部の一端に形成する部材がありその網の内部空間に蓄積さ
せる耳垢を吸引装置を用いて吸い込むその該装置とする機械係に関しては
その網の内部にその吸引により耳垢が蓄積させにくい形成とする為非常に
良いものとするがしかしその吸引装置を介する耳掻きは常時手軽に使用で
きる一般的な耳掻きはその吸引装置を使用しない為その網内部に蓄積され
る耳垢を除去しにくいことイコールその耳垢を網内部蓄積による衛生面の
低下とし尚その吸引式耳掻きはその吸引力に対し人の頭部内組織構造の仕
組みは該頭部に係る耳穴と鼻腔は連通されるそれぞれの穴とする前記耳穴
からの吸引によるその鼻腔等によけいな吸引力が係ることによりその鼻を
痛めてしまうこともあり更にその網上の袋の側面はそれぞれの網がクロス
する小波の凹凸面とする為耳の内側面に頑固にこびり付く耳垢を除去しに
くいことやまたその掻きとる耳垢を拾いにくい小波となり更にその網上の
内部を空間部とする仮にその網に係る圧力を２としその２はその網の全側
面のそれぞれの方向から加わる圧力２とする為その網は仮に該網が変形す
るものと仮定するとその部材の先端部等の方向圧力の係らなくてもいい方
向からの誤る変形が生じやすいこととする為その耳の内側面に圧力をかけ
づらい網目側面となりまたその空間部に一例形成とするその該空間部形成
の網目部材の強度形成とするその網目部材の空間部に補強材を設ける形成
とするその網目部材は耳内側面の凹凸に対しその補強の強度により変形し
にくいということや更に一番の重要点とするその耳掻きを回転させること
に対する作用性の技術方面では少し弱いというそれぞれの問題点があった。
本考案はその耳の内側面に接触しやすい形成とする為その耳掻きに係る棒
状の軸部の一端にまず軸方向に長い楕円体として設け形成することにより
該楕円体平面視先端部は左右幅が狭く小さい耳穴に入りやすい形状とする
と共にその楕円体に網目部材を絞り状態で被覆し固着することにより該固
着による部材の変形なる壊れを防ぎまたその軸部からその軟質部材を介す
る網目部材の絞り状態の形状を維持すると共にその軸部一端形成のそれぞ
れの部材が取れやすい破損を防ぐものとし更にその網目部材の側面をその
網目より大きな凹凸となるように歪ませる絞り状態とすることによりその
網目部材を該網目部材の原型とする小波と共にその絞りなる大波の凹凸を
形成しその大波と小波を有する網目部材側面は該網目部材の内部とする軟
質部材の作用性によりその耳掻きを使用する耳内の凹凸とほぼ同一にその
網目側面は形を変えながらその内側面に頑固に付着する耳垢を除去すると
共にその網目部材とする絞り状態の歪みによる大波の凸部はその網目部材
の内部とするその軟質部材を介する前記網目部材側面への圧力による変形
変化に対するその大波の凸部とその大波の凹部の境目の段差を、たとえば
その網目部材側面に１０の圧力がそのまま１０係ることとしても消すこと
なくはっきりとその網目部材を絞る複数の曲線段差が残る為その該曲線は
その耳掻きを回転させる動作に伴うその網目部材が絞り形状となることに
よるその回転動作イコールそれぞれの圧量による部材変化に対応なせる網
目側面とするその動作とほぼ同一な回転絞り形状とするその動作作用点と
形状作用点はほぼ同一となりその曲線上の大波の頂部にほぼ平均的に強の
力で圧力の係る形成としまたその曲線はその平面視耳掻きの先端部とその
網目部材の下部とするそれぞれの上下端部を連通する為切れ目を有すこと
なくその曲線段差によりその耳掻きを回転させることによりその耳掻きに
係る軸部の回転圧力をほぼ変えることなくその網目部材の側面に該圧力を
伝える為力強い摩擦力でその耳内側面にこびり付く頑固な耳垢を回転曲度
スコップのようなイメージで連続して掻きとる確実作用性の高まる効果度
を安定保持させその大波の作用性と共に小波とするその原型の網目部材を
編み込む形成に係るその網目部材平面視の該部材側面のそれぞれの網の凹
凸の小波の凸部やその網目部材を絞り状態で歪みを与える大波の凸部はそ
の網目部材を内部とする軟質部材を介し圧力で押され凹みその耳内側面の
形状にほぼ同一形状となりやすい為その平面視網目部材のほぼ全側面はそ
の耳穴内側面に接触する圧力支点が接触重要点に集中しやすいほぼ全側面
支点形成とする為その軸部を人差し指と親指等でつまみ、回転させること
によりその見えない耳内の接触支点を気にすることなくその網目部材とす
る上下のそれぞれの小波の網とその網目部材を絞り状態とする大波の凸部
によりその耳の内側面にこびり付く耳垢をその軸部を回す力がほぼそのま
まその耳の内側面と接触する摩擦力となりその摩擦力でその複数の上下網
体の小波とその歪みとする絞り状態でねじ込む曲線の大波により耳垢を一
気に掻きつづけるものとなりまたその平面視網目部材からなる左右の複数
の網からなる凸部体とその網目部材の絞り状態とする大波の該大波曲線の
作用面やまたその網目部材の全側面に配設されるそれぞれの目によりその
上下のそれぞれの網で掻き落とす耳垢をその耳の奥から耳垢を一時蓄積さ
せ連続して耳外へ掻き出す形状とする為その耳垢を取りこぼすことを防ぐ
確率値を向上させる。
【課題を解決するための手段】
【０００５】
本考案１は
棒状の軸部（４）と該軸部の一端（５）に凹凸形状の軟質部材（３）を
結合してなる耳掻き（１）において前記軟質部材（３）を軸方向に長い楕
円体（９）とし、該楕円体（９）に網目部材（２）を絞り状態で被覆（７）
し固着（４３）したことを特徴とする耳掻きを提供。
【０００６】
本考案２は
前記絞り状態を平面視軸に対し右回転の絞りとしたことを特徴とする耳
掻きを提供。
【０００７】
本考案３は
前記網目部材を１０から３０メッシュネットとしたことを特徴とする耳
掻きを提供。
【０００８】
本考案４は
前記網目部材を編み込む形成としたことを特徴とする耳掻きを提供。
【０００９】
本考案５は
前記網目部材を絞り状態とする形状を前記網目部材を該部材の全側面に
対し部分的に前記網目部材を前記編み込む網で肉厚を厚くし固着させ形
成したことを特徴とする耳掻きを提供。
【００１０】
本考案６は
前記網目部材を編み込む網で該網目部材側面を前記平面視軸方向から見
てスクリュ―形状を形成したことを特徴する耳掻きを提供。
【００１１】
本考案７は
前記網目部材を編み込む網を複数の網で編み込むことを特徴する耳掻き
を提供。
【００１２】
本考案８は
前記軟質部材の側面を前記平面視軸方向に対しスクリュー形状としたこ
とを特徴する耳掻きを提供。
【００１３】
本考案９は
前記絞り状態を前記平面視軸に対し左回転の絞りとしたことを特徴とす
る耳掻きを提供。
【００１４】
本考案１０は
前記軸部の一端とする網目部材且他端をスプーン形状としたことを特
徴とする耳掻きを提供。
【００１５】
本考案１１は
前記スプーン形状を弾性体を形成したことを特徴とする耳掻きを提供。
【００１６】
本考案１２は
前記スプーン形状を耳垢が付着する粘着材を設けたことを特徴とする耳
掻きを提供。
【００１７】
本考案１３は
前記軟質部材を柔軟材としたことを特徴とする耳掻きを提供。
【００１８】
本考案１４は
前記軟質部材を弾性体としたことを特徴とする耳掻きを提供。
【００１９】
本考案１５は
前記網目部材を耳垢が付着する粘着材を設けたことを特徴とする耳掻き
を提供。
【００２０】
本考案１６は
前記網目部材を繊維製としたことを特徴とする耳掻きを提供。
【００２１】
本考案１７は
前記網目部材を樹脂製としたことを特徴とする耳掻きを提供。
【００２２】
本考案１８は
前記網目部材を金属製としたことを特徴とする耳掻きを提供。
【００２３】
本考案１９は
前記耳掻きを金属製としたことを特徴とする耳掻きを提供。
【００２４】
本考案２０は
前記耳掻きを樹脂製としたことを特徴とする耳掻きを提供。
【００２５】
本考案２１は
前記耳掻きを繊維製としたことを特徴とする耳掻きを提供。
【００２６】
本考案２２は
前記耳掻きを木製としたことを特徴とする耳掻きを提供。
【００２７】
本考案２３は
前記耳掻きを竹製としたことを特徴とする耳掻きを提供。
【００２８】
本考案２４は
前記一端と他端を同一形成としたことを特徴とする耳掻きを提供。
【００２９】
本考案２５は
前記軟質部材と網目部材を同一部材としたことを特徴とする耳掻きを提
供。
【００３０】
本考案２６は
前記他端を繊維製の綿を設けたことを特徴とする耳掻きを提供。
【００３１】
本考案２７は
前記軟質部材を綿としたことを特徴とする耳掻きを提供。
【００３２】
本考案２８は
前記粘着材を覆う該粘着材側面から離間して着脱可能なキャップを設
けたことを特徴とする耳掻きを提供。
【００３３】
本考案２９は
前記網目部材を水の該水と異なる精製水を含浸させたことを特徴とす
る耳掻きを提供。
【００３４】
本考案３０は
前記柔軟材を前記精製水を含浸させたことを特徴とする耳掻きを提供。
【００３５】
本考案３１は
前記網目部材を３０メッシュ以上のメッシュネットとしたことを特徴と
する耳掻きを提供。
【００３６】
本考案３２は
前記網目部材を１０メッシュ以下のメッシュネットとしたことを特徴と
する耳掻きを提供。
【００３７】
本考案３３は
前記軟質部材を絞り状態で被覆し固着する網目部材と前記棒状の一端の
それぞれを接着し取り付け形成したことを特徴とする耳掻きを提供。
【考案の効果】
【００３８】
本考案１は
棒状の軸部（４）と該軸部の一端（５）に凹凸形状の軟質部材（３）を
結合してなる耳掻き（１）において前記軟質部材（３）を軸方向に長い楕
円体（９）とし、該楕円体（９）に網目部材（２）を絞り状態で被覆（７）
し固着（４３）して形成するその耳掻きに係る棒状の軸部の一端の網目部
材はその耳掻きを使い捨てとしない丈夫な樹脂とする形成やまたその耳
掻きを使い捨てとする軟らかい繊維のガーゼ等で形成することなど様々
ありその棒状の軸部の一端に軟質部材を軸方向に長い楕円体として設け
ることによりその平面視楕円体の先端部は左右幅が狭い形状とする為耳
穴に入りやすくすると共にその楕円体とする該楕円体を被覆する網目部
材は該網目部材の内部に軟質部材とする形成によりその耳掻きを使用す
る耳内の凹凸にほぼ同一に形を変えながらその耳穴内側面に頑固に付着
する耳垢を除去すると共にその耳穴内側面にその軟質部材の形を変えや
すい性質形状によりその形の変化による該形を初期形状に戻しやすいと
いう作用性によりその網目部材と共に該網目部材のほぼ全側面に圧力を
与えやすい形成となり更にその網目部材とする側面を歪ませるイメージ
で絞り状態とすることによりその網目部材側面に軸方向に対し曲度があ
る大波の凹凸を形成すると共にその網目部材を編み込む形成とすること
によりその網目部材はそれぞれの網を交互に互い違いに編み込むその網
目部材平面視側面を立体なるそれぞれの小波とする網の凹凸を形成する
ことによりその大波と小波のそれぞれの凹凸形状に耳垢を絡みやすい形
成とする仮にその網目部材を上下網と左右網のそれぞれの網が互い違い
にクロスさせて編み込む形成とすることによりその耳掻きを耳穴に差し
込みその上下に形成するそれぞれの網とその大波とする網を絞り状態と
する凹凸の凸の作用面によってその棒状の軸部の摘み持つ部分を回転さ
せその耳穴内側面にその回転力を伝えることによりその見えない耳内の
その耳掻きに設ける網目部材の側面との接触支点を気にすることなくそ
の耳垢除去を行うことが可能なその大波の曲度とするその軸方向を直線
とすることに対する該軸方向からの曲がりによりその耳掻きの回転に伴
なう耳垢を掬いあげ上げその耳垢が絡みやすいものとし尚その網目部材
の側面に伝わるその回転力に伴う摩擦力を低下させることなくその耳穴
内側のほぼ全体面を常にその棒状の軸部の一端の網目部材側面とその耳
内側面の接触を重要支点に確実に集めその接触なるその摩擦力はその耳
内側接触面にその網目形状部に係る摩擦低抗を分散させることなくその
耳穴内側面にある耳垢をその複数の上下網体でその耳掻きの回転と同時
にその耳内にある耳垢を掻きとる作用をその軸方向から曲がる大波と網
目部材の原型とする小波のそれぞれの作用面で繰り返しその耳垢を回転
スコップのようなそれぞれの掘り出し凸部によりその上下なる小波の網
や前記大波とする網目部材の絞りなる曲度の凸部で掻き滑らせることに
よりその耳内側面に頑固にへばりつくその耳垢を除去しやすい形成部と
し更にその網目部材の左右に形成されるそれぞれの複数の小波の網体や
その網目部材を絞り状態とする大波の耳垢を絡ませやすい曲度の凸部に
よりその耳の奥に蓄積されるその耳垢を外に運ぶそれぞれの凸部体とす
る該凸部体によりその耳の内側面と完全に密着を保持しながらその耳垢
を連続して掻き出す形成としその連続によりその耳垢を確実に掬い拾い
集め取りこぼしを防止するものとし尚その網目部材のそれぞれの凸部体
により耳垢を運ぶと共にその網目部材の網目の目となる部面によりその
耳の奥から外に掻き出す迄の間その耳垢を一時蓄積させる複数の孔とし
それらの形成部によりその楕円体による肉厚の高い一端のその網目部材
のほぼ全側面にある複数の孔とすることによりその耳垢の取りこぼしを
減少させるものとし尚その網目部材を絞り状態で被覆し固着して形成す
ることによりその絞り状態形を固着維持させその網目部材の変形を防ぎ
更にその耳掻きの一端形成の摩擦による破損をなくしそれぞれの耳掻き
状態による作用を安定させる形成とする特に回転に対して力を発揮する
その耳掻きを簡易的に形成することを前提とすることにより生産性の向
上を高めるものとする。
【００３９】
本考案２は
前記絞り状態を平面視軸に対し右回転の絞りとしたことを特徴とする為
その網目部材を右回転で絞り状態を形成することによりその絞る凹凸の
凸部の頂部は右方向に傾く為その耳掻きは右回転に作用性を発揮する形
成とする。
【００４０】
本考案３は
前記網目部材を１０から３０メッシュネットとしたことを特徴とする為
その網目部材を１０から３０メッシュのネットとすることにより仮にそ
の１０メッシュの網目の目の大きさに係る正方形の幅は２．８２ミリと
なりその幅の大きさで形成する網目部材はおおよそ樹脂等の硬度値レベ
ルのそれぞれの部材を目安基準とする形成とその棒状の一端とする軟質
部材に係る平面視網目部材の上下幅を自己計測で１５ミリとするそれぞ
れに値する耳掻きに対しその２．８２ミリのその仮に示す正方形で耳垢を
確実に蓄積させる大きさとするその網目部材の耳垢を掻き出す作用性と
その耳垢を蓄積させる作用性をそれぞれの網と目のバランスによりその
複数の作用性を共に向上させる推奨値とし且その３０メッシュの網目の
目の大きさに係る正方形の幅は０．８４ミリとなりその幅の大きさで形成
する前記樹脂等の硬度値レベルとその網目部材の上下幅を自己計測で１
５ミリとするそれぞれに値する耳掻きに対しその０．８４ミリの仮に示す
正方形で耳垢を確実に蓄積させる大きさのそれぞれ示す作用性を向上さ
せる推奨範囲値とする結果その１０から３０メッシュネットの範囲を想
定し推奨するものとしその耳掻きを耳の内側面に圧力を掛けやすいその
耳内に易しく接触するものとなり安全性が備わる設計を兼ねる形成とそ
れぞれの示す範囲の網目の目幅によりその耳垢を蓄積させやすい大きさ
の網目部材とする。
【００４１】
本考案４は
前記網目部材を編み込む形成としたことを特徴とする為その編み込む網
目部材とすることによりその網目部材のそれぞれの頂部に段差を形成す
ることが可能となり耳垢を除去しやすい側面とする。
【００４２】
本考案５は
前記網目部材を絞り状態とする形状を前記網目部材を該部材の全側面に
対し部分的に前記網目部材を前記編み込む網で肉厚を厚くし固着させ形
成したことを特徴とする為仮にその網目部材を編み込む一般形成とする
上下左右の二本のそれぞれの網を交互にクロスさせながら編み込む形成
と共にその網目部材の一部を三本で編み込む該編み込む形状部を曲線と
なるように編み込むことによりその三本で編み込む部分に本考案１とす
る絞り状態の凹凸形成されるものとなりその絞り状態を簡易的に形成す
ることも可能としまたその網目部材の固着によりその網目部材の編み込
みを壊れにくいものとする。
【００４３】
本考案６は
前記網目部材を編み込む網で該網目部材側面を前記平面視軸方向から見
てスクリュ―形状を形成したことを特徴する為仮にその網目部材を編み込
む一般形成とする上下左右のそれぞれの網を交互にクロスさせながら編み
込む形成と共に該形成に三本目の他方向とするその網目部材にスクリュー
状とするように編み込むことによりその網目部材の側面にスクリュー状の
模様が形成されその該形成部により耳垢を外に掻き出す作用性をより向上
させるものとする。
【００４４】
本考案７は
前記網目部材を編み込む網を複数の方向からなる網で編み込むことを
特徴する為その網目部材の網を複数の方向から編み込むことによりそ
の網目の目を仮に菱形等に形成することも可能とする。
【００４５】
本考案８は
前記軟質部材の側面を前記平面視軸方向に対しスクリュー形状とした
ことを特徴する為その軟質部材をスクリュー形状にし仮にその該形状
に合わせてその網目部材を被覆させることによりその網目部材の側面
にはそのスクリュ―形状と共に前途網目部材を絞り状態とする形状の
それぞれの形状により耳の内側面に頑固にこびり付く耳垢を除去する
ことやその耳内にある耳垢をそのスクリュー形状部で外に掻き出すそ
れぞれの作用性が有効になりまた別形成とするその網目部材の内部に
そのスクリュ−形状凹部を利用して空間部を形成することも可能とす
る。
【００４６】
本考案９は
前記絞り状態を前記平面視軸に対し左回転の絞りとしたことを特徴と
する為仮に本考案１と共に本考案２とするそれぞれを統合させること
により前途右回転の絞りは右回転に作用しまた前記左回転とするその
網目部材の絞り状態は左回転に作用しやすいものとする為その耳掻き
を右に回す仮に半回転回す作用性と左に回すその半回転それぞれの他
方回転を合わせることによりその耳掻きを３６０度回すという動作を
その半回転により軽減させるものとする。
【００４７】
本考案１０は
前記軸部の一端とする網目部材且他端をスプーン形状としたことを特
徴とする為そのスプーン形状は耳内の耳垢を掻き出す圧力が力強い単
数の凹部形状となりそのスプーンでその耳垢を掻きだすことにより無
数に散らばるその複数個所の耳垢をそのスプーン形状の逆端となるそ
の網目部材でまとめ掻きだすことができその耳の内側面に一気に係る
圧力がその網目部材の重要接触支点に係りやすい全支点の作用性やそ
のスプーン形状の掻き出す力強い一支点のそれらの支点が一つの耳掻
きに統合される。
【００４８】
本考案１１は
前記スプーン形状を弾性体を形成したことを特徴とする為その耳内に
接触するそのスプーン形状の接触に対する違和感をなくす為その弾性
体とすることによりそのスプーンは耳内に易しく接触し且その易しく
接することによりその耳垢掃除に抵抗感なる恐怖を与えにくいものと
し共にその耳内は凹凸の曲線を有する為その弾性体とするスプーン形
状とすることによりそのスプーン形状部は形を変形させることにより
その耳内の凹凸に対応しやすい形成とする。
【００４９】
本考案１２は
前記スプーン形状を耳垢が付着する粘着材を設けたことを特徴とする
為そのスプーン形状に仮にシリコン等のその耳垢が付着する粘着材を
設けることによりその耳内に散らばる細かい微小な耳垢をそのスプー
ンに付着させるやすい形成とし本考案１に統合するとよいものとなり
尚そのシリコンは水洗いしてもその粘着力は再復活すしまたその粘着
材をアクリルエステルとしてもよいとする。
【００５０】
本考案１３は
前記軟質部材を柔軟材としたことを特徴とする為その一端とする軟質
部材を柔軟材とすることによりその一端に設ける網目部材はその柔軟
材の該柔軟を介することのできる網目部材とすることによりその耳内
に易しく接触する軟らかい形成となりその耳内に対する接触抵抗感を
なくし且その耳内部の凹凸に対応なせる柔軟作用性とし尚その一端の
網目部材はその柔軟に伴い形を変える為耳垢の取りやすい形状とする。
【００５１】
本考案１４は
前記軟質部材を弾性体としたことを特徴とする為その棒状の軸部の一
端の軟質部材を弾性体とすることによりその一端に同時に形成する網
目部材は弾力を介することのできる網目部材としそのことによりその
一端はその弾力の反発作用を利用してその耳掻きを耳内に差すその差
し込み圧力のみでその耳内に摩擦抵抗をより与えることのできる形成
となりあまり力をかけることなくその耳掻きを回転させることにより
その網目部材の網となる上下左右の作用点が向上する。
【００５２】
本考案１５は
前記網目部材を耳垢が付着する粘着材を設けたことを特徴とする為仮
にその網目形状部にシリコンを含浸させることやそのシリコンを熔解
させて設けることによりその網目形状には耳垢が付着しやすいものと
なりまたそのシリコンは水洗いをしてもその耳垢の粘着効果が戻り持
続して使用できるものとなりその網目部材の作用効果にその粘着性を
与えるものとする。
【００５３】
本考案１６は
前記網目部材を繊維製としたことを特徴とする為その繊維製には丈夫
な繊維やまたその耳掻きを使い捨てとする軟らかい繊維もありよく使
用される面棒は全体を繊維で形成する使い捨てがよく見られ尚そのネ
ットからなる繊維は肌触りがよくその耳内に違和感を与えにくいもの
となりまたその耳垢がその繊維質に付着させることによりその耳垢の
微量な水分をネットの穴と共に乾燥させやすくしそのメッシュネット
上でその耳垢を即乾燥させることによりその耳垢がそのメッシュネッ
ト上で固形凝縮付着させやすい形状とする。
【００５４】
本考案１７は
前記網目部材を樹脂製としたことを特徴とする為その網目部材を樹脂
で形成することによりその部材硬度を中度以上で高めることが可能と
なる為その耳掻きの壊れにくさを調節すると共にその硬度を高めるこ
とが可能な樹脂によりその耳掻きと耳内側面にその硬度で圧力をかけ
やすい形成で耳垢を掻き集めることが可能な形成とする。
【００５５】
本考案１８は
前記網目部材を金属製としたことを特徴とする為その網目部材を金属
製とすることによりその金属には軽金属からなるアルミ等の硬度でよ
りその耳掻きの壊れにくさを保持できる形成とすると共にその硬度に
よりその耳掻きの一端と接触する耳の内側面により力の係りやすい形
成とする。
【００５６】
本考案１９は
前記耳掻きを金属製としたことを特徴とする為その耳掻きを金属とす
ることによりその耳掻きに係る軸部やその該軸部の両端に形成される
網目部材やスプーン形状はその金属の強度により壊れにくい部材とし
その耳掻きの全体部を多方向からのそれぞれの圧力に対抗なせる硬度
形成とする。
【００５７】
本考案２０は
前記耳掻きを樹脂製としたことを特徴とする為その樹脂にはプラスチ
ック等がありその耳掻きの重量を安定させると共にその樹脂によるし
なりによりその耳内側面に抵抗感を与えにくい形成とする。
【００５８】
本考案２１は
前記耳掻きを繊維製としたことを特徴とする為その繊維製で形成する
耳掻きには使い捨ての面棒等がありその耳掻きに係る棒状の軸部はそ
の繊維質とする紙製で形成しコスト面を調整することを可能とする前
途本考案１と統合して形成することもできる。
【００５９】
本考案２２は
前記耳掻きを木製としたことを特徴とする為その木製は香りが非常に
よく耳の内側面で使用する部材に適するものとする。
【００６０】
本考案２３は
前記耳掻きを竹製としたことを特徴とする為その竹製は前途木製と共
に香りがよく耳の内側面で使用する部材に適するものとしまたその竹
は湾曲なる圧力に耐えやすい形成とする為その耳掻きを壊れにくい且
軽量な形成とすることもできる。
【００６１】
本考案２４は
前記一端と他端を同一形成としたことを特徴とする為その一端の形成
と他端の形成が同一とする仮にその網目部材形成がその棒状の軸部の
それぞれの端に形成される為仮に使い捨てとする繊維等で形成する軟
らかい棒状の軸部にその耳垢を掻きとる個所が二か所とする為それら
の端を交互に使用することができる。
【００６２】
本考案２５は
前記軟質部材と網目部材を同一部材としたことを特徴とする仮にその
軟質部材を繊維製として形成すると共にその網目部材も繊維製として
形成の調整を可能とする。
【００６３】
本考案２６は
前記他端を繊維製の綿を設けたことを特徴とする為その棒状の軸部一
端には網目部材がありその網目部材の側面は圧力を掛けやすい形成と
なりその力強い圧力で耳垢を一気に掻きとると共にその耳内をその棒
状に係る他端を綿毛の軟らかい力の係りにくい易しい綿により細かい
耳垢を最終処理できる形成としそれらの端に係る圧力の係り方に強弱
をつける形成とする。
【００６４】
本考案２７は
前記軟質部材を綿としたことを特徴とする為その網目部材は該網のそ
れぞれの頂部により耳垢を掻きとるここととなりその網目の目にその
耳垢が蓄積しやすい形成とする為その網目部材の内部をその網目部材
より細かい繊維の綿をすることによりその耳垢がその細かい繊維に絡
みやすくなり共にその網目部材の圧力の係りやすい形成を利用するも
のとする。
【００６５】
本考案２８は
前記粘着材を覆う該粘着材側面から離間して着脱可能なキャップを設
けたことを特徴とする為その粘着材をその着脱可能なキャップでカバ
ーし持ち運びができる形成としその粘着材を保護する仮に常時使用す
る耳掻きに適する。
【００６６】
本考案２９は
前記網目部材を水の該水と異なる精製水を含浸させたことを特徴とす
る為その網目部材の作用に繋がるその網目の繊維等にその精製水を含
浸させることによりその耳垢が付着しやすい網目部材とする。
【００６７】
本考案３０は
前記柔軟材を前記精製水を含浸させたことを特徴とする為その柔軟材
にその精製水を含浸させることによりその耳垢が付着しやすい柔軟材
とする。
【００６８】
本考案３１は
前記網目部材を３０メッシュ以上のメッシュネットとしたことを特
徴とする為その３０メッシュの網目の目の正方形に幅は０．８４ミ
リとなりそのメッシュを３１メッシュや３２メッシュとすることに
よりその網目部材の目の正方形の幅は徐々に狭いものとなりその網
目部材の形成には該網目部材肉厚幅の二倍以上とする歪み形状を形
成する為仮にその網目部材の目の幅が狭くても耳垢を一時蓄積させ
やすい形状とし仮にその細かい目のメッシュは繊維製の網目部材等
で形成するとよいものその繊維は壊れにくい形成とする。
【００６９】
本考案３２は
前記網目部材を１０メッシュ以下のメッシュネットとしたことを特
徴とする為その１０メッシュ網目の目の正方形に幅は２．８２ミリ
となりその１０メッシュ以下とする９メッシュや８メッシュとする
とによりその正方形の幅は徐々に多きくなる為仮にその網目部材に
係る絞り形状のそれぞれの凸部の比率量に応じるその複数の凸部が
その網目部材の面積に対して多くの比率度合いとすることによりそ
の網目部材の目は大きく形成したほうがよいものとなる。
【００７０】
本考案３３は
前記軟質部材を絞り状態で被覆し固着する網目部材と前記棒状の一
端のそれぞれを接着し取り付け形成したことを特徴とする為その軟
質部材に係る絞り状態とする網目部材を金型等で形成したのちその
該形成を耳掻きに係る棒状の一端に取り付けることにより簡易的に
耳掻きを作成することが可能となり更に前記網目部材に係る固着と
共にその接着する工法形成に取り入れることにより丈夫な固着プラ
ス接着となる。
【図面の簡単な説明】
【００７１】
【図１】本考案に係る統合する耳掻きの正面図。
【図２】網目側面の形成一例の概略図。
【図３】耳掻きの一例概略図。
【図４】耳掻きの一例概略図。
【図５】耳掻きの一例概略図。
【図６】耳掻きの部材一例概略図。
【図７】耳掻きの部材一例概略図。
【図８】耳掻きの一例概略図。
【図９】耳掻きの一例概略図。
【図１０】形成一例の概略図。
【図１１】網目部材の形成一例概略図。
【考案を実施するための形態】
【００７２】
以下、本考案の好適な実施例を図面に基づいて説明する。
【００７３】
図１は本考案に係る統合する耳掻きの一例を示す正面図である。
【００７４】
図１は棒状の軸部（４）と該軸部の一端（５）に凹凸形状の軟質部材（３）
を結合してなる耳掻き（１）において前記軟質部材（３）を軸方向に長い
楕円体（９）とし、該楕円体（９）に網目部材（２）を絞り状態（７）で
被覆し固着（４３）したことを特徴とすることを示しその耳掻き１の一端
５を上部とする該上部から軸方向に沿い他端１９を下部とするその耳掻き
１を縦方向に置く該耳掻き１の目視を平面視２０と規定しまたその上部か
ら下部を上下基準とする該上下からその耳掻き１を左右に寝かせるその一
端５を左とし前記他端１９を右とするその耳掻き１の目視を側面視５１と
して基準を定めることとし、まずその軟質部材３を軸方向に長い楕円体９
とすることにより該楕円体９平面視２０の先端部左右幅は狭い形状とする
為小さい耳穴に入りやすくするものとし尚その楕円体９の変形に伴う該楕
円体９の中心線上からの圧力を全側面に伝えやすい形状とするその楕円体
９側面の伸縮する面により直線状態で形成するよりその楕円体９の中心側
面付近から徐々に全側面に摩擦力を伝える為その耳穴側面の凹凸に前記摩
擦力を伝えやすい形状とし更にその楕円体９にその網目部材２を絞り状態
７で被覆することにより該網目部材２側面６を凹凸の波とするように歪ま
せるようなイメージとする絞り状態７で前記楕円体９に被覆し固着４３さ
せることによりその網目部材２側面６に該網目部材２の原型側面６より大
波１３の前記絞る凹凸を形成することによりその網目部材２の側面６上は
その網目部材２を編み込む前記原型の小波１２の凹凸とその網を絞り状態
７とする大波１３の凹凸のそれぞれの形成を同時に固着４３形成させ該固
着４３による部材の変形なる作用面を低下とする型崩れと壊れなる劣化を
防ぐと共にその耳掻き１からその軟質部材３を介する網目部材２のとれや
すい破損を防ぐものとするその網目部材２を絞る大波１３の凸部はその網
目部材２の内部８とするその軟質部材３を介する前記網目部材２側面６へ
の圧力による変形の変化に対するその大波１３の凸部且凹部の境目４４の
段差を、たとえばその網目部材２側面６に１０の圧力がそのまま１０係る
としてもその作用面の低下とする型崩れを防ぎはっきりとその平面視２０
網目部材２を絞るその軸方向の直線に対し複数の曲線４７段差が残る為そ
の該曲線４７はその耳掻き１を回転させる動作に伴うその網目部材２が絞
り状態７とすることによるその回転動作イコールそれぞれの圧量による部
材変化に対応なせる網目側面６とするその動作とほぼ同一な回転絞り状態
とするその動作作用点と形状作用点はほぼ同一となり一致させその曲線上
の大波の頂部５０にほぼ平均的な強の力で圧力の係る形成としまたその曲
線はその平面視耳掻き１の先端部４８とその網目部材２の下端部４６のそ
れぞれの端部を連通４９する為切れ目を有すことなくその曲線段差により
その耳掻き１を回転させる動作によりその耳掻き１に係る軸部の回転力分
をほぼ変えることなくその網目部材２の側面６に該回転力を伝える為力強
い摩擦力でその耳内側面にこびり付く頑固な耳垢を回転曲度スコップのよ
うなイメージで連続して掻きとる確実作用性の高まる効果度を安定保持さ
せその力の係り方を星印により示すその耳内側面全側面に対し重要作用支
点に集中しやすいその楕円体９に関連する網目部材２側面６はその図で示
す星を力の量とするその耳掻き１に係る軸部を回転させるその回転力を三
つ星とし且その軸部から該軸部の端に係る一端５の固着４３される網目部
材２が同時に回転する回転力はその軸部の回転力に伴いその力をほぼ弱め
ることなくその一端５形成の側面６に伝えると共にその耳の内側面とその
耳掻き１に係る網目部材２の側面６のそれぞれを磨り合う摩擦力にかえる
その網目部材２の形状は圧力の係りやすいその大波１３の凹凸とその網目
部材２原形体の網と目１５の小波１２となりそれぞれの波によりその耳穴
内側面の接触支点を気にすることなく一気に掻きとるものとし尚その網目
部材２は編み込みの形成とするその該部材の平面視側面６は仮に上下から
なる縦網１０と左右からなる横網１１のそれぞれの網が互い違いに交差し
てクロスされるそれぞれの上下の縦網１０凸部複数体によりその耳掻き１
の回転に伴いその耳の内側面に頑固にこびり付く耳垢を前記大波１３の絞
りの曲線４７凸部と共に連続して掻きとる作用を繰り返し更にその網目部
材２には左右からなるそれぞれの横網１１凸部複数体を兼ね備わる為その
複数の上下縦網１０凸部体による前記摩擦力に伴う少数回の回転でその耳
垢を掻きおえるその耳の奥にある老廃物をその複数の左右横網１１凸部体
によりたとえ１横網１１凸部体が取り損ねても２横網１１凸部体、３横網
１１凸部体のように連続してその耳垢を外に運び出す流れ作用をその大波
１３のそれぞれの耳垢が絡みやすい曲線４３のその網目部材２を捻ること
による凸部と共に繰り返すものとし更にその網目部材２の複数目１５によ
るそれぞれの穴により一時その耳垢を連続して掻き掬い一時蓄積させるも
のとしその軟質部材３介する網目部材２とする該網目側面部は小さい耳穴
の入り組む凹凸形状にその軟質部材３を介して形をその耳穴とほぼ同一形
状に変えながら変形させるものとなりその網目部材２の側面視はそれぞれ
の凸部体の頂部がその耳の内側面に対し滑るような丸みのある編み込む段
差とする為弱肌の赤ちゃん肌や女性肌にも適しまたその網目部材２はその
耳掻き１を一に押す使い捨てとしない丈夫な樹脂とすることや二に押す使
い捨てとする軟らかい繊維のガーゼ等で形成することなど自然のままにあ
まり手をかけず単純で且作用面を向上させるその耳掻き１を回転すること
に対し力を高める形成とする。
【００７５】
図２の（ａ）は前記網目部材２を１０から３０メッシュネット４１とし
たことを特徴とすることを示しその網目部材２の目１５の大きさを耳垢が
絡みやすい大きさで形成すればよいものとしその目１５が小さすぎず大き
すぎず上手く調節するとよいものとなりその１０メッシュの網目部材２の
目１５を仮に正方形で形成すると該目１５幅は２．５４ミリとなりその１
０メッシュからその３０メッシュとするそれぞれの範囲値となるその３０
メッシュの網目部材２の目１５を仮に正方形で形成すると該目１５幅は約
０．８４ミリとなり耳垢を蓄積させやすいそれぞれ示す数値範囲を推奨す
るものとし仮に一例とするがその網目部材２は１０メッシュ以下で形成す
ることやその網目部材２の目１５の形を前記正方形と異なる形状としてそ
の目８の形状に伴う網目部材２の網形成としてもよいものとなりまたその
網目部材２の網の肉厚をそれぞれ肉厚なる網を上手く使いその網目部材２
の側面６に段差を形成とすることや尚その複数の目の形や大きさはそれぞ
れが異なる形成としてもよいものとなり（ｂ）は形成一例を示し仮にその
棒状の軸部４一端５に網目部材２を被覆させその網目部材２とその軸部の
それぞれの繋ぎ目部分等でその網目部材２を左回転や右回転または上下回
転させる思想を元にそれぞれの何れかに値するその網目部材２を回転させ
るようにねじ込むことによりその網目部材２の側面６にその網目部材２の
網と目１５の小波１２より大きい大波１３の凹凸を形成するスクリュー形
状２４に近い形成となり一例とするが仮にその左右または上下の回転の何
れかでそのスクリュ―形状２４に近い形成とするがそのねじ込む方向はそ
れぞれと異なる方向や異なる形の形成でもよいものとし（ｃ）は前記網目
部材２を絞り状態７とする形状を前記網目部材２を該部材の全側面６に対
し部分的に前記網目部材２を前記編み込む５２網で肉厚を厚くし固着４３
させ前記絞り状態７を形成したことを特徴とすることや前記網目部材２を
編み込む５２網で該網目部材２側面６を前記平面視２０軸方向から見てス
クリュ―形状２４を形成したことを特徴することやまた前記網目部材２を
編み込む５２網を複数の網で編み込むことを特徴するそれぞれを示し仮に
その網目部材２平面視２０に係る上下の縦網１１と左右の横網１１とする
それぞれの網で編み込み更にその編み込む５２網目部材２のその全側面６
に対し部分的にそれぞれと異なる方向の三本目の網を編み込む５２ことに
よりその部分的なる三本目の網部分にその網目部材２原形の頂部２２より
一段高い段差を形成する模様、柄、凹凸等の何れかを形成する前記編み込
む５２網で肉厚を厚くするものとし仮に一例とするがその三本方向以上の
網を用いてその網目部材２を形成することやまたその網目部材２平面視２
０の先端部方向を北としその該北から３６０度方向の何れかに値する方向
でその網目部材２を形成することやそれぞれ示す他極の方向性の網を用い
てその網目部材２を形成してもよいものとし尚そのような編み込む５２網
で前記網目部材２原形の肉厚を高めスクリュ―形状２４を形成してもよい
しその図のような複数の多方向の網で編み込む５２部材としてもよいもの
となり更にその網目部材２に図示はないが該網目部材２より高硬度な部材
または低硬度な部材を含有等でその網目部材２を形成し該網目部材２を補
強させる形成とすることやその網目部材２に抗菌材を含浸または塗布して
もよいものなりその抗菌材は抗菌剤もあり該抗菌作用性には化学性とする
抗菌、自然性とする抗菌、植物性とする抗菌、無機系とする抗菌もありそ
の抗菌の種類として塩酸ポリヘキサニド、キトサン等がありまた一例とす
るがその軟質部材３側面やその網目部材２の側面６の何れかに凹凸を形成
してもよいものとなり（ｄ）は形成一例と前記絞り状態７を前記平面視２
０軸に対し左回転の絞りとしたことを特徴とすることを示しその網目部材
２原形側面６に仮に三本目の異なる編み込む網でその左右方向からなる溝
２１をその網目部材２側面６に形成することによりその耳掻き１を耳の内
部から耳垢を掻き出す溝２１として作用性をなしまたその三本目の異なる
網み込む５２網でその上下方向からなる溝２１をその網目部材２側面６に
形成することによりその耳掻き１を回転させることによるその上下なる溝
２１とその耳の内側面に頑固にへばりつく耳垢を掻きとり蓄積させやすく
する溝２１とし仮にその溝２１は螺旋状に形成する斜面や曲線等で形成し
てもよいものとしその網目部材２のメッシュ形状一例とする平織、綾織、
平畳織、綾畳織、焼結網等があり仮にその網目部材２の絞り状態を形成す
る際はそれぞれの金型の形づくる内側面を任意の形に歪ませてその網目部
材をその複数の金型で両サイドから圧縮し形成してもよいとし尚その絞り
状態７を左回転の絞りとすることによりその耳掻き１は左回転に強い形成
となり尚その前記右回転の絞りとその左回転の絞りを統合させることによ
りそれぞれの回転方向に対応する耳掻き１形成とする為仮にその耳掻き１
を右回転に半回転したのち且左回転の半回転とすることによりその耳掻き
１を一回転回すという労力をなくすこともできる。
【００７６】
図３（ａ）は前記軸部の一端５とする網目部材２且他端１９をスプーン
形状１６としたことを特徴とすることを示しその耳掻き１に係る軸部はそ
の両端の何れかの一端５に網目部材２を設けることともう一方の他端１９
にスプーン形状１６部のそれぞれでその耳掻き１を形成することによりま
ずそのスプーン形状１６の作用効果とするその耳掻き１を耳内に差し込む
そのスプーン形状１６の平面視２０方向によるその一方向に力が係りやす
い形状とする力強い作用によりその耳内の耳垢を掻き出すと共にその方向
作用性に加えそのスプーン形状１６の逆端とする軸部の一端５を網目部材
２を設ける形成とすることによりその網目部材２方向からその耳掻き１を
耳内で差し込み回転させることによりその網目部材２の上下の縦網１０や
左右の横網１１とするそれぞれの網によりその耳内の内側全体面に仮に一
度の回転でその耳内にある耳垢を除去するものとしその耳掻き１にそれぞ
れの示すその耳掻き１の動きの作用性とそれぞれの耳垢を掻き出す方向性
を多面的なものとし仮にその平面視２０耳掻き１に対しその耳掻き１に係
る軸部からそのスプーン形状１６に係る先端部迄の角度は１８０度未満と
するスプーン型の形状となれは良いものとなり且その棒状の軸部１の左右
肉厚に対しその網目部材２左右肉厚を厚く形成すれば異なる形状でもよい
ものとしまた一例とするがその平面視２０耳掻き１に対しその軸部の左右
幅よりその網目部材２左右幅を薄く形成してもよいがその薄く形成される
網目部材２形成は力が中心線へと流れやすくなる為その網目部材２の側面
６に力の係りにくい形成ともなりまたその軸部はその耳掻き１を回しやす
い形状の損傷しない程度の硬度に伴うこととするが左右幅を細く形成する
ことにより回しやすい耳掻き１が形成できることしまた主婦の意見とする
寸法を取り入れると従来の一端５軟質形成を左右幅４ミリとしその網目部
材２形成は力の係りやすい楕円体とする軟質形成とする為あまり大きさに
はこだわることとしないがその４ミリ以上の幅とすることにより多少力の
係りやすい寸法となりその幅寸にも作用効果に違いがあり尚その一端５と
逆とする他端１９を少し小さい幅とするそれぞれの端を異なる大きさとし
てもよいものとし尚その寸法は仮にその左右幅を４ミリ、４．５ミリ、５
ミリのような区分けをして人の好みの大きさに合わせて生産してもよいも
のとなり（ｂ）は前記スプーン形状１６を弾性体１８で形成したことを特
徴とすることを示しそのスプーン形状１６を弾性体１８とすることにより
その耳掻き１を耳内に差し込み該耳の内側面をその弾性体１８のクッショ
ン作用性により傷めることなく安全に使用できると共にその耳の内側面に
その弾性体１８が接触するその接触なる圧力吸収と反発作用性を利用する
ことによりその耳掻き１にあまり力を加えなくてもその耳掻き１を差し込
む圧力やその耳掻き１を回転させるそれぞれの圧力でその耳内にある耳垢
を掻き出すものとし仮にその弾性体１８の強度を高める為該弾性体１８に
高硬度な部材や低硬度な部材を含有させその弾性体１８の硬度調整をして
形成してもよいとしまたその弾性体１８を複数とするそれぞれの層で形成
することも可能とし（ｃ）は前記スプーン形状１６を耳垢が付着する粘着
材１７を設けたことを特徴とすることを示し仮にその粘着材１７をシリコ
ンとして形成することによりそのスプーン形状１６は耳垢を付着させるよ
うになる為その耳垢を取りこぼすことなく使用できるものとしまたそのシ
リコンは水洗いすることによりその耳掻きに付着する耳垢やその耳垢に係
る細菌を除去なせるものとし且そのシリコンの粘着力はその水洗いのその
水の乾燥後復活するものとし尚その粘着材１７の粘着力はそのスプーン形
状１６部より耳垢が付着しやすい形成とすればよいとしまたそのスプーン
形状１６はその耳掻き１に係る棒状の軸部４より凹部を有する凹みを有す
る形状とすればどのような形状でもよいまたしその粘着材１７を低から硬
の何れかに係る強度は自由に形成してもよいとしまたその粘着材１７の例
とするアクリル酸エステル樹脂系、弾性粘着系、アクリル粘着系、エマル
ジョン粘着系等がある。
【００７７】
図４の（ａ）は形成一例とするが前記棒状の軸部４の肉厚より前記一端５
の肉厚を厚めに形成したことを特徴とすることを示しその棒状の軸部４は
両端が細い為その耳掻き１を使用する耳の任意の大きさに合うこととしな
い為その棒状の一端５の肉厚を厚めに形成してからその網目部材２を設け
ることによりその網目部材２の肉厚と共にその一端５の肉厚で耳の穴の任
意の大きさに合わせるものとする一例とし仮にその厚めに形成する肉厚は
円周や形状の外周を曲線で形成しどのような形としてもそれぞれの形の一
部左右幅がその肉厚の厚い部分を有する形状で有ればよいものとしその左
右幅に伴いそれぞれの形の上下幅を該左右幅と同一形成としてもよいもの
とし尚その耳掻き１に係る棒状の軸部４の一端５に網目部材２を形成する
方法として該網目部材２をその軸部の一端５に接着、熔着、設ける、止め金
具による耳掻き１の何れかによる固定またはその網目部材２がその軸部か
ら着脱可能な形成等があり尚そのような一端を厚く形成する場合仮に該厚
くする形成部を楕円体９とし更にその楕円体９に軟質部材３と網目部材２
を合わせた層にしてから被覆してもよいものとし（ｂ）は前記軟質部材３を
柔軟材２６としたことを特徴とすることを示しその軟質部材３を柔軟材２
６とすることによりその網目部材２の内部８に軟らかさを加えその網目部
材２側面６との接触を和らげるものとしその柔軟材２６には羽毛、天然羽毛、
脱脂綿、コットン、天然コットン、綿紙等で形成する柔軟材２６、架橋で形
成する柔軟材２６、被膜による柔軟材２６、塗布による柔軟材２６、それぞ
れの層による柔軟材２６等を一例としまたその軟質部材をシリコンとして
形成してもよいとする。
【００７８】
図５の（ａ）は前記軟質部材３を弾性体１８としたことを特徴とすること
を示しその軟質部材３を弾性体１８とすることによりその耳掻き１を一端
５方向とする網目部材２の内部８を弾性体１８として該弾性体１８を介し
てその網目部材２側面６はその耳掻き１にあまり力を加えなくてもその該
耳掻き１を耳内に差し込む圧力のみでその弾性体１８の形状伸縮作用を利
用して耳の内側面に頑固にこびり付く耳垢を除去できるもとしその弾性体
１８には金属製の弾性体１８、樹脂製の弾性体１８、木製の弾性体１８、竹
製の弾性体１８、抗菌材を含む弾性体１８等がありその弾性体１８の一例と
する熱硬化性エラストマー、熱可塑性エラストマー、エラストマー系、シリ
コーンゴム、フッ素ゴム、ウレタンゴム、天然ゴム、合成ゴム、熱硬化性ゴ
ム、熱可塑性ゴム、エポキシ樹脂、高分子弾性体、ゴム、架橋ゴム、加硫ゴ
ム等があり（ｂ）は前記網目部材２を耳垢が付着する粘着材１７を設けたこ
とを特徴とすることを示しその網目部材２に粘着材１７を設けることによ
りその網目部材２に耳垢を蓄積付着させる比率を向上させる。
【００７９】
図６（ａ）は前記網目部材２を繊維製２７としたことを特徴とすることを
示しその耳掻き１を使い捨て等で形成するその耳掻き１を仮に軟質な繊維
に係るその棒状の軸部４を紙で形成することやまたその耳掻き１に係る網
目部材４をその低硬度な繊維等で形成することによりその耳掻き１は低コ
スト化により使い捨ての耳掻き１となりまたその繊維を丈夫な高硬度な繊
維形成で常時使用する耳掻き１を形成することも可能としその繊維には植
物繊維や合成繊維、天然繊維、化学繊維、動物繊維、鉱物繊維、食物繊維、
半合成繊維、再生繊維、ガラス繊維、炭素繊維、人造鉱物繊維、天然竹繊維
等があり特にその繊維の代表とする天然羽毛、羽毛、脱脂綿、天然コットン、
パルプなどがあり（ｂ）は前記網目部材２を樹脂製２８としたことを特徴と
することを示しその耳掻き１に係る網目部材２を樹脂とすることによりそ
の使用する耳掻き１はその樹脂の硬度により壊れにくいものとなり常時使
用する耳掻き１を形成することができその樹脂には天然樹脂や合成樹脂且
熱可塑性樹脂等があり特にその樹脂の代表とするシリコーン樹脂、ＡＢＳ樹
脂、ポリスチレン、アクリル、エラストマー樹脂、ポリ塩化ビニール、ポリ
プロピレン、プラスチック、アクリル酸エステル樹脂、加硫ゴム、熱硬化性
樹脂系エラストマー、熱可塑性エラストマーがあり（ｃ）は前記網目部材２
を金属製２９としたことを特徴とすることを示しその網目部材２を仮に軽
金属からなるアルミ等で形成するにより軽くて丈夫な耳掻き１を形成する
ことができその金属には軽金属や重金属且合金等がありその金属の代表と
してステンレス、チタン、スチール、真鍮、黄銅、アルミニウムなどがある。
【００８０】
図７の（ａ）は前記耳掻き１を金属製２９としたことを特徴とすることを
示しその金属にはチタン、クロム、亜鉛、ルテニウム、銀、イリジウム、合
金、アルミ合金、ステンレス等の軽金属や重金属があるものとするがその金
属製２９には該金属と異なる部材を塗膜すること等の複数層で形成する形
成やその金属に該金属と異なる部材を被膜する形成などもありその耳掻き
１を金属製２９とすることにより丈夫な部材形成とすることができ（ｂ）は
前記耳掻き１を樹脂製２８としたことを特徴とすることを示しその耳掻き
１を樹脂とすることによりその耳掻き１が湾曲するその曲がりに強い形成
となり丈夫な部材形成とすることができ仮にその耳掻き１に係るスプーン
形状１６の表面に溝等の複数の凹部３５を設け形成しそれぞれの凹部３５
により耳垢を滑りにくい形成とすることやそのスプーン形状１６より滑る
こととしない形成としてもよいものとし（ｃ）は前記耳掻き１を繊維製２７
としたことを特徴とすることを示しその耳掻き１を繊維の係る形成とする
ことにより仮にその耳掻き１の棒状の軸部４を紙となる繊維質等で形成し
その耳掻き１を使い捨てとすることもでき（ｄ）は前記耳掻き１を木製３０
としたことを特徴とすることを示しその耳掻き１を木製３０とすることに
よりその木は湾曲することに対して強くまた香りがよいものとなりその木
の代表として杉や檜、檜葉、松、欅、栂、栗、姫椿等があり（ｅ）は前記耳
掻き１を竹製３１としたことを特徴とすることを示しその耳掻き１を竹で
形成することによりその竹は曲がりにくい部材とする為壊れにくい耳掻き
１ができるものと共に尚香りがよいものとしその竹の代表として天然竹、人
工竹、虎斑竹、淡竹、孟宋竹、亀甲竹、布袋竹、黒竹、スズ竹、図面竹、ゴ
マ竹、紋竹、煤竹、沈竹等がありその耳掻き１に抗菌材を設けることや含有
させて形成してもよいとしまた抗菌剤もあり尚抗菌作用性のある部材は合
成抗菌材や合成抗菌剤もありまた天然抗菌もあり、無機系抗菌剤や塩酸ポリ
ヘキサニドを一例としてあげるものとする。
【００８１】
図８の（ａ）は前記一端５と他端１９を同一形成としたことを特徴とする
ことを示しその一端５の網目部材２形成と共にその耳掻き１の棒状の軸部
４に係る他端１９を前記一端５と同一形成とする網目部材２形成とするこ
とができその為その耳掻き１はその軸部の両端が同一な網目部材２により
それぞれの二か所でその耳掻き１を使用することができ（ｂ）は形成一例と
前記軟質部材３と網目部材２を同一部材としたことを特徴とするそれぞれ
を示し仮にその（ａ）で示したその同一な網目部材２形成をそれぞれの形や
それぞれの大きさに分けて形成してもよいものとしまたその耳掻き１に係
る棒状の軸部４の該軸部の肉厚を一部細く形成することによりその軸部を
回転しやすい形成としてもよいものとし尚その軸部を回転させやすい形成
とする為その棒状の軸部４に複数の凹部３５や凸部３７を形成することや
またその棒状の軸部４に複数の溝なる凹部３５を設けることやその棒状の
軸部４に該軸部より滑ることとしない滑り止めを設けてその耳掻き１を形
成してもよいものとし図示はないが仮にその一端５の網目部材２形成とそ
の他端１９を該網目部材２と異なる形状としてもよいものとし尚その軟質
部材を仮に繊維で統一し形成することによりコストを削減する使い捨ての
耳掻きを形成することもでき（ｃ）は前記他端１９を繊維製２７の綿３６を
設けたことを特徴とすることを示しその耳掻き１に係る棒状の軸部４の一
端５を網目部材２形成とするその一端５と逆端とするその他端１９を繊維
質のふさふさな綿３６とすることによりまずその力の係りやすい網目部材
２でしっかり耳垢を除去すると共にその耳内に残る細かい耳垢をその繊維
質の綿毛３６で掃き出すものとしその軸部のそれぞれの端の使い分けがで
きるようになり（ｄ）は前記軟質部材３を綿３６としたことを特徴とするこ
とを示しその網目部材２の内部８を仮にふさふさな綿３６とすることによ
りその綿３６が網目部材２の目８から微量に飛び出すようなイメージとな
りその飛び出す複数の綿毛３６によりその網目部材２に耳垢が絡みやすい
形成となり常時使用する耳掻き１や使い捨ての耳掻き１のそれぞれの耳掻
き１形成が可能なものとする。
【００８２】
図９の（ａ）は前記粘着材１７を覆う該粘着材１７側面から離間して着脱
可能なキャップ３３を設けたことを特徴とすることを示しその粘着材１７
部に着脱可能なキャップ３３を設けることによりその粘着作用性のある耳
掻き１をそのキャップ３３をして持ち運びができるものとし（ｂ）と（ｃ）
は前記網目部材２を水の該水と異なる精製水３４を含浸させたことを特徴
とすることや前記柔軟材２６を前記精製水３４を含浸させたことを特徴と
するそれぞれを示しその網目部材２や柔軟材２６に精製水３４を含浸させ
ることによりその網目部材２や柔軟材２６を有する形成の耳掻き１は耳垢
をその精製水３４により付着させやすい形成とし仮にその網目部材２や柔
軟２６材にパラベンを含浸させてもよいとし（ｄ）は前記網目部材２を３０
メッシュ以上のメッシュネット４１としたことを特徴とすることや前記網
目部材を１０メッシュ以下のメッシュネット４１としたことを特徴とする
それぞれを示しその網目部材２をその耳垢が樹脂で形成する該網目部材２
より付着しやすい部材とする網目部材２を繊維として使い捨ての耳掻き１
として形成する場合その網目部材２の目１５の大きさ幅は微小でもよいも
のとする為そのような繊維または綿等の部材で形成する耳掻き１等はその
３０メッシュ以上のメッシュで対応できることとしまたその網目部材２を
１０メッシュ以下とすることによりその網目部材を絞る調整具合によりそ
のメッシュの目１５の大きさを調整できるものとしまた前記軟質部材３を
絞り状態７で被覆し固着４３する網目部材２と前記棒状の一端５のそれぞ
れを接着５３し取り付け形成したことを特徴とすることを示しその網目部
材２の形成部と棒状の軸部４のそれぞれを分けて形成することにより仮に
その網目部材２の形成部とする金型のみでその細長い棒に接着を可能とす
る為生産コストを抑えることができる。
【００８３】
図１０は全て形成一例とするがその耳掻き１に係る網目部材２の側面や棒
状の軸部４の一端５から複数の突起を突出させそれぞれの突起の凸部を利用
してその耳掻き１で除去する耳垢をそれぞれの凸部で掻き上げその網目部材
２にその耳垢が付着させやすい形状としたものとしまたその耳掻き１に係る
棒状の軸部４の一端５の網目部材２と共にその一端５の逆端とするその他端
１９を前記網目部材２と異なる形状で形成してもよいとし（ｂ）はその網目
部材２の内部８に空洞３９を形成すると共に該空洞３９からその耳掻き１の
先端部に連通させることにより該先端部上面視に穴なる空洞３９を形成する
ことによりその網目部材２で掻き出す耳垢をその空洞３９に落ちる形成とし
（ｃ）は網目部材２の形成一例となりその網目部材２の網をそれぞれの肉厚
やそれぞれの形状により編み込む形成とすることにより仮にその複数の肉厚
で形成するその肉厚の違いによるそれぞれの網によりその網目部材２の側面
に段差を形成するものとなりまたその平面視２０網目部材２のその網の編み
込む５２方向を上下縦網１０と左右横網１１のそれぞれの網で編み込む５２
形成とすることが一般的とするがその編み込む方向は北から３６０度のそれ
ぞれの方向の何れかに値する形成とすればよいものとなり尚その網目部材２
の網とする複数の３方向以上を用いる形成とすることも可能となりその図の
ように上下縦網１０と左右横網１１且それぞれの方向と異なる斜めの網のそ
れぞれの網で編み込むその平面視２０網目部材２にそれぞれの網による凹凸
や柄を形成することも可能とし（ｄ）はその網目部材２網の目１５形状の一
例となりその目１５を円状で形成する、楕円形、長円形、２等辺三角形、正
三角形、菱形等があり（ｅ）はその網目部材２の網を曲線や波で形成してそ
の網目部材２の表面に立体を強化させてもよいとし（ｆ）はその網目部材２
にその網目の目１５と異なる複数の孔４２を設け形成しそれぞれの孔４２に
よりその耳垢が蓄積しやすい形成としてもよいものとし尚その網目部材２の
それぞれの目１５を複数の大きさに分けて形成してもよいとし（ｇ）はその
耳掻き１に係る網目部材２の形状やその耳掻き１に係る棒状の軸部４の一端
５の形状を示し該形状や前記網目部材２の形状はその棒状の軸部４の肉厚よ
り一部でも肉厚が厚い部分となるものとすればどのような形状としてもよい
ものとし（ｈ）はその耳掻き１に係る棒状の軸部４の形状を示したものとな
り仮にその軸部を円錐で形成することや六角錐で形成するなどありその棒の
形状は前記一端に形成する網目部分の肉厚より薄い形成とすればどのような
形状でもよいものとしまたその棒状の軸部４の一部の肉厚を厚く形成するこ
とや該一部を薄く形成してその棒を回転しやすい形成としてもよいものとし
（ｉ）はその耳掻き１に係る棒状の軸部４の一端５の網目部材２の形成と共
にその一端５の逆端とする他端１９を（ａ）で示すその網目部材２と異なる
形状を形成する一例とする。
【００８４】
図１１の（ａ）は前記絞り状態７を平面視２０軸に対し右回転の絞りとし
たことを特徴とすることを示しその網目部材２平面視２０の軸方向とする仮
に直線から該網目部材２を右回転で絞ることによりその絞り状態７とする大
波の凸の頂部は右に傾く為その耳掻き１を右回転させることにより耳垢を絡
みやすい形成とし（ｂ）は前記網目部材２を編み込む５２形成としたことを
特徴とすることを示しその網目部材２を編み込む５２ことによりその網目部
材２側面６に小波の凹凸を形成することができ（ｃ）は前記網目部材２を絞
り状態とする形状を前記網目部材２を該部材の全側面６に対し部分的に前記
網目部材２を前記編み込む５２網で肉厚を厚くし固着させ形成したことを特
徴とすることを示しその網目部材２の絞り状態７を簡易的に形成する為その
網目部材２の編み込む５２網のそれぞれの肉厚をうまく使い分けその絞り状
態７をその網込みで形成することもでき（ｄ）は前記軟質部材３の側面を前
記平面視２０軸方向に対しスクリュー形状２４としたことを特徴するを示し
その軟質部材３を楕円体６と異なる凹凸の形成をしてその網目部材２を被覆
してもよいとする。
【符号の説明】
【００８５】
１  耳掻き
２  網目部材
３  軟質部材
４  棒状の軸部
５  一端
６  側面
７  絞り状態
８  内部
９  楕円体
１０  縦網
１１  横網
１２  小波
１３  大波
１４  パッケージ
１５  目
１６  スプーン形状
１７  粘着材
１８  弾性体
１９  他端
２０  平面視
２１  溝
２２  頂部
２３  段差
２４  スクリュー形状
２５  軸部の肉厚より厚い一端
２６  柔軟材
２７  繊維製
２８  樹脂製
２９  金属製
３０  木製
３１  竹製
３３  キャップ
３４  精製水
３５  凹部
３６  綿
３７  凸部
３８  滑り止め
３９  空洞
４０  一端の形成と異なる他端形成
４１  メッシュネット
４２  孔
４３  固着
４４  境目
４５  網目部材の上端部
４６  網目部材の下端部
４７  曲線
４８  先端部
４９  連通
５０  大波の頂部
５１  側面視
５２  編み込む
５３  接着
５４  上面視
【図１】
0003196108.tif 000003
【図２】
0003196108.tif 000004
【図３】
0003196108.tif 000005
【図４】
0003196108.tif 000006
【図５】
0003196108.tif 000007
【図６】
0003196108.tif 000008
【図７】
0003196108.tif 000009
【図８】
0003196108.tif 000010
【図９】
0003196108.tif 000011
【図１０】
0003196108.tif 000012
【図１１】
0003196108.tif 000013